(57)【特許請求の範囲】
【請求項１】
遊技媒体である遊技球が投入されることにより遊技客に遊技を提供する遊技機と、遊技媒体であるコインが投入されることにより遊技客に遊技を提供するスロット機または金員であるコインが投入されることにより遊技媒体を貸し出す台間機とが配置された遊技機島に設置され、前記遊技機から排出される遊技球である排出球と、前記スロット機または前記台間機から排出されるコインである排出コインとを搬送する遊技機島用コイン・遊技球搬送装置であって、
前記排出球が通過可能であるとともに前記排出コインが通過不能となる貫通孔である球排出孔が形成された第１無端ベルトと、外周面の全周に亘ってこの外周面が前記第１無端ベルトの内周面と対向するように配置された第２無端ベルトとを有し、前記第１無端ベルトと前記第２無端ベルトとが一体に前記第１無端ベルトの周方向に向かって循環移動可能に連結された無端搬送ベルトと、
前記排出コインを回収するために設定されたコイン搬送方向に沿って前記無端搬送ベルトを架け渡し、この無端搬送ベルトを前記コイン搬送方向に沿って循環移動させるベルト移動手段と、
前記無端搬送ベルトの下方に設けられ、前記球排出孔を通過して前記無端搬送ベルトから落下する排出球を受け止める球受止部と、
前記球受止部で受け止められた排出球を回収するために設定された所定球搬送位置まで搬送する受止球搬送手段と、
を備えることを特徴とする遊技機島用コイン・遊技球搬送装置。
【請求項２】
前記受止球搬送手段は、
前記球受止部から前記所定球搬送位置に向かうにつれて低くなる傾斜面が形成された樋である、
ことを特徴とする請求項１に記載の遊技機島用コイン・遊技球搬送装置。
【請求項３】
前記第１無端ベルトの外周面上において、前記球排出孔の孔縁部には、漏斗状の傾斜が形成されている、
ことを特徴とする請求項１または請求項２に記載の遊技機島用コイン・遊技球搬送装置。
【請求項４】
前記第１無端ベルトの内周面上において、前記球排出孔の孔縁部には、漏斗状の傾斜が形成されている、
ことを特徴とする請求項１〜請求項３の何れかに記載の遊技機島用コイン・遊技球搬送装置。
【請求項５】
前記第２無端ベルトの外周面上において、断面が円弧状の凹部となるディンプルが形成されている、
ことを特徴とする請求項１〜請求項４の何れかに記載の遊技機島用コイン・遊技球搬送装置。
【請求項６】
前記第１無端ベルトの外周面上にある前記排出球を前記球排出孔に誘導する誘導手段を備える、
ことを特徴とする請求項１〜請求項５の何れかに記載の遊技機島用コイン・遊技球搬送装置。
【請求項７】
前記無端搬送ベルトを振動させる振動手段を備える、
ことを特徴とする請求項１〜請求項６の何れかに記載の遊技機島用コイン・遊技球搬送装置。
【請求項８】
前記第１無端ベルトの外周面から、前記排出コインの幅より高く且つ前記排出球の直径より低い位置に配置され、前記第１無端ベルトの外周面上にある前記排出コインの前記コイン搬送方向への移動を許可し、且つ前記第１無端ベルトの外周面上にある前記排出球の前記コイン搬送方向への移動を阻止する球阻止手段を備える、
ことを特徴とする請求項１〜請求項７の何れかに記載の遊技機島用コイン・遊技球搬送装置。
【請求項９】
前記スロット機または前記台間機毎に当該スロット機または当該台間機から排出される排出コインの数を計数する排出コイン計数手段と、
前記排出コイン計数手段による計数結果が予め設定された所定動作禁止条件を満たした場合に、前記ベルト移動手段の動作を禁止するコイン搬送禁止手段と、
を備えることを特徴とする請求項１〜請求項８の何れかに記載の遊技機島用コイン・遊技球搬送装置。
【請求項１０】
前記所定動作禁止条件は、
前記スロット機または前記台間機から排出される排出コインの数が予め設定された所定コイン計数値未満であること、及び、当該遊技機島に設置された全ての前記スロット機または前記台間機から排出される排出コインの総数が予め設定された所定コイン総数値未満であることの、少なくとも一方である、
ことを特徴とする請求項９に記載の遊技機島用コイン・遊技球搬送装置。
【請求項１１】
前記遊技機毎に当該遊技機から排出される排出球の数を計数する排出球計数手段と、
前記排出球計数手段による計数結果に基づき、当該遊技機島に設置された全ての前記遊技機から排出される排出球の総数が予め設定された所定球総数値未満である場合には、前記ベルト移動手段の動作を禁止する第３コイン搬送禁止手段と、
を備えることを特徴とする請求項１〜請求項１０の何れかに記載の遊技機島用コイン・遊技球搬送装置。
【発明の詳細な説明】
【技術分野】
【０００１】
本発明は、遊技機が設置された遊技機島で使用されるコイン及び遊技球を搬送する遊技機島用コイン・遊技球搬送装置に関する。
【背景技術】
【０００２】
従来より、複数のパチンコ機が設置される遊技機島では、遊技中の遊技客がパチンコ機から離れることなく遊技球を借りることができるように、投入された硬貨の金額に応じた数の遊技球を貸し出す遊技球貸出装置（いわゆる台間機）がパチンコ機毎に設置されている。
【０００３】
ところで、パチンコ機が設置された遊技場においては、遊技に使用された遊技球（以降、遊技球を単に球と称す）を回収して、この球を繰り返し使用可能とするための球循環システムが構築されている。この球循環システムのうちで、球を回収する部分は、具体的には、遊技機島毎に設置される回収樋と、パチンコ機毎に設置される球収容器とから構成されている。これらのうち回収樋は、遊技機島の一端から他端に亘って延設され、この遊技機島内の全ての遊技機から排出される球をまとめて回収する。また球収容器は、パチンコ機毎に遊技盤上に打ち出された球を回収して、回収した球を更に回収樋へ誘導する。
【０００４】
更に遊技場においては、台間機に投入された硬貨を回収するための硬貨回収システムが構築されている。この硬貨回収システムは、遊技機島の一端から他端に亘って延設され、この遊技機島内の全ての台間機から排出されて落下する硬貨を受け止めて、受け止めた硬貨を予め設定された硬貨回収場所まで搬送するベルトコンベア（以降、硬貨用搬送装置と称す）から構成されている（例えば、特許文献１参照。）。
【特許文献１】特開２００４−１３７０６号公報
【発明の開示】
【発明が解決しようとする課題】
【０００５】
ところで、硬貨用搬送装置の設置位置としては、球収容器の上方または下方が考えられる。
まず、硬貨用搬送装置を球収容器よりも上方に設置する場合には、パチンコ機の裏面側において、硬貨用搬送装置がパチンコ機に接触しないように設置する必要がある。このため、遊技機島の島幅を広げることによって、パチンコ機に接触することなく硬貨用搬送装置を収容可能なスペースを確保しなくてはならなかった。
【０００６】
また、硬貨用搬送装置を球収容器よりも下方に設置する場合には、球収容器から回収樋へ球が誘導される経路（以降、球誘導経路と称す）を、硬貨用搬送装置が遮らないように設置する必要がある。このため、遊技機島の島幅を広げることによって、球誘導経路を遮ることなく硬貨用搬送装置を設置可能なスペースを確保しなくてはならなかった。
【０００７】
即ち、硬貨用搬送装置を設置すると遊技機島の島幅を広げなくてはならないため、その分、遊技場に設置可能な遊技機島の数が減り、延いては、遊技場内に設置することができるパチンコ機の台数が減少してしまうという問題があった。
【０００８】
本発明は、こうした問題に鑑みなされたものであり、遊技機島の島幅の増加を抑制できる遊技機島用コイン・遊技球搬送装置を提供することを目的とする。
【課題を解決するための手段】
【０００９】
上記目的を達成するためになされた請求項１に記載の発明は、遊技媒体である遊技球が投入されることにより遊技客に遊技を提供する遊技機と、遊技媒体であるコインが投入されることにより遊技客に遊技を提供するスロット機または金員であるコインが投入されることにより遊技媒体を貸し出す台間機とが配置された遊技機島に設置され、遊技機から排出される遊技球である排出球と、スロット機または台間機から排出されるコインである排出コインとを搬送する遊技機島用コイン・遊技球搬送装置であって、排出球が通過可能であるとともに排出コインが通過不能となる貫通孔である球排出孔が形成された第１無端ベルトと、外周面の全周に亘ってこの外周面が第１無端ベルトの内周面と対向するように配置された第２無端ベルトとを有し、第１無端ベルトと第２無端ベルトとが一体に第１無端ベルトの周方向に向かって循環移動可能に連結された無端搬送ベルトと、排出コインを回収するために設定されたコイン搬送方向に沿って無端搬送ベルトを架け渡し、この無端搬送ベルトをコイン搬送方向に沿って循環移動させるベルト移動手段と、無端搬送ベルトの下方に設けられ、球排出孔を通過して無端搬送ベルトから落下する排出球を受け止める球受止部と、球受止部で受け止められた排出球を回収するために設定された所定球搬送位置まで搬送する受止球搬送手段とを備えることを特徴とする。
【００１０】
このように構成された遊技機島用コイン・遊技球搬送装置では、ベルト移動手段は、無端搬送ベルトをコイン搬送方向に沿って循環移動させる。また球受止部は、球排出孔を通過して無端搬送ベルトから落下する排出球を受け止める。そして受止球搬送手段は、球受止部で受け止められた排出球を所定球搬送位置まで搬送する。
【００１１】
即ち、遊技機から排出された遊技球（排出球）と、スロット機または台間機から排出されたコイン（排出コイン）は、まず第１無端ベルトの外周面（以降、第１外周面とも称す）に受け入れられる。
【００１２】
そして、受け入れられた排出コインは、第１外周面に受け入れられた状態で、コイン搬送方向に向かって移動して、コイン搬送方向の最下流部で、第１無端ベルトから落下する。これにより、排出コインが回収される。
【００１３】
一方、第１無端ベルトに受け入れられた排出球については、この排出球が球排出孔に到達するとこの球排出孔を通過して第１無端ベルトから落下する。そして、この落下した排出球は第２無端ベルトの外周面（以降、第２外周面とも称す）に受け入れられる。その後、受け入れられた排出球は、第２外周面に受け入れられた状態で、コイン搬送方向に向かって移動して、コイン搬送方向の最下流部で、第２無端ベルトから落下する。
【００１４】
そして、コイン搬送方向の最下流部で第２無端ベルトから落下した排出球は、コイン搬送方向とは反対の方向に向かって循環移動する第１無端ベルトの内周面（以降、第１内周面とも称す）に受け入れられる。その後、第１内周面に受け入れられた排出球が、球排出孔に到達するとこの球排出孔を通過して第１無端ベルトから落下する。つまり、無端搬送ベルトから落下する。
【００１５】
また無端搬送ベルトから落下した排出球は、球受止部で受け止められ、更に受止球搬送手段により所定球搬送位置まで搬送される。これにより、排出球が回収される。
このため、コインを搬送する装置と遊技球を搬送する装置とを、遊技球の落下方向（つまり縦方向）に並べて配置することができる。つまり、コインを搬送する装置と遊技球を搬送する装置とを遊技機島の島幅方向に並べて配置する必要がなくなるために、遊技機島の島幅の増加を抑制できる。
【００１６】
なお本願出願人は、以下に示す遊技機島用コイン・遊技球搬送装置を、別途出願している。
即ち、排出球及び排出コインを受け入れて搬送する第１搬送ベルトを有し、この第１搬送ベルトの、排出球及び排出コインを受け入れる側の面を第１搬送面とし、この第１搬送面上に、排出球が通過可能であるとともに排出コインが通過不能となる貫通孔である球排出孔が形成され、この第１搬送面を、排出コインを回収するために設定された第１所定搬送方向に向かって移動させるコイン搬送手段と、第１搬送ベルトから球排出孔を通過して落下する排出球を受け入れて搬送する第２搬送ベルトを有し、この第２搬送ベルトの、排出球を受け入れる側の面を第２搬送面とし、この第２搬送面上の排出球が所定搬送位置に到達するように設定された第２所定搬送方向に向かって第２搬送面を移動させる第２球搬送手段とを備えることを特徴とする遊技機島用コイン・遊技球搬送装置である。なお以降、この装置を第１別出願搬送装置と称す。
【００１７】
しかしながら、この第１別出願搬送装置においては、第１搬送ベルトと第２搬送ベルトとをそれぞれ別々に駆動させる必要がある。つまり、搬送ベルトを循環移動させるための駆動モータ，駆動ローラ及び従動ローラ等の駆動系を、第１搬送ベルトと第２搬送ベルトについてそれぞれ設ける必要がある。
【００１８】
これに対して、請求項１に記載の遊技機島用コイン・遊技球搬送装置では、第１無端ベルトと第２無端ベルトとが一体に循環移動可能に連結された無端搬送ベルトをベルト移動手段がコイン搬送方向に沿って循環移動させる。即ち、搬送ベルトを循環移動させるための駆動系を１つ設けるだけでよい。従って、第１別出願搬送装置よりも駆動系の数を減らすことができる分、駆動系をメンテナンスする手間を省略できるとともに、製造コストを抑制することができる。
【００１９】
更に本願出願人は、以下に示す遊技機島用コイン・遊技球搬送装置を、別途出願している。
即ち、上記のコイン搬送手段と、このコイン搬送手段の下方に配置され、所定搬送位置に向かうにつれて低くなる傾斜面が形成された回収樋とを備えることを特徴とする遊技機島用コイン・遊技球搬送装置である。なお以降、この装置を第２別出願搬送装置と称す。
【００２０】
しかしながら、この第２別出願搬送装置においては、回収樋の下流側ではコイン搬送手段と回収樋と間の距離が長くなるため、コイン搬送手段から回収樋の下流側に落下する排出球が回収樋の傾斜面に衝突する際の衝撃が大きくなってしまう。そして、この衝撃により、回収樋の傾斜面が損傷してしまったり、排出球が傾斜面から跳ね返ってしまったりする。
【００２１】
これに対して、請求項１に記載の遊技機島用コイン・遊技球搬送装置では、球排出孔を通過して無端搬送ベルトから落下する排出球を、まず球受止部で受け止めた後に、受止球搬送手段により所定球搬送位置まで搬送させる。即ち、球受止部と無端搬送ベルトとの間の距離を短くすることにより、排出球が球受止部に衝突する際の衝撃を抑制することができる。従って第２別出願搬送装置よりも、排出球を受け入れる際の、受け入れ部分の損傷や排出球の跳ね返りを抑制できる。
【００２２】
また請求項１に記載の遊技機島用コイン・遊技球搬送装置では、請求項２に記載のように、受止球搬送手段は、球受止部から所定搬送位置に向かうにつれて低くなる傾斜面が形成された樋であるようにしてもよい。
【００２３】
このように構成された遊技機島用コイン・遊技球搬送装置では、球受止部に受け入れられた排出球は、樋の傾斜に沿って移動して所定搬送位置に到達する。即ち、球受止部に受け入れられた排出球を所定搬送位置まで搬送するための電力が不要となるため、電力消費を抑制できる。
【００２４】
また請求項１または請求項２に記載の遊技機島用コイン・遊技球搬送装置では、請求項３に記載のように、第１無端ベルトの外周面上において、球排出孔の孔縁部には、漏斗状の傾斜が形成されているようにするとよい。
【００２５】
このように構成された遊技機島用コイン・遊技球搬送装置では、漏斗状の傾斜上に位置する排出球は、この傾斜に沿って球排出孔に向かって移動する。このため、第１外周面上の排出球が第１無端ベルトから落下し易くなる。
【００２６】
また請求項１〜請求項３の何れかに記載の遊技機島用コイン・遊技球搬送装置では、請求項４に記載のように、第１無端ベルトの内周面上において、球排出孔の孔縁部には、漏斗状の傾斜が形成されているようにするとよい。
【００２７】
このように構成された遊技機島用コイン・遊技球搬送装置では、漏斗状の傾斜上に位置する排出球は、この傾斜に沿って球排出孔に向かって移動する。このため、第１内周面上の排出球が第１無端ベルトから落下し易くなる。
【００２８】
ところで、第２外周面がコイン搬送方向に向かうにつれて高くなるように傾斜している場合には、第２外周面上の排出球がコイン搬送方向とは反対の方向に移動してしまう虞がある。
【００２９】
そこで請求項１〜請求項４の何れかに記載の遊技機島用コイン・遊技球搬送装置では、請求項５に記載のように、第２無端ベルトの外周面上において、断面が円弧状の凹部となるディンプルが形成されているようにするとよい。
【００３０】
このように構成された遊技機島用コイン・遊技球搬送装置では、第２外周面上においてコイン搬送方向とは反対の方向に移動する排出球がディンプル内に進入すると、この排出球はディンプルの内部に閉じ込められる。即ち、第２外周面上の排出球がコイン搬送方向とは反対の方向へ移動することを阻止できる。
【００３１】
また請求項１〜請求項５の何れかに記載の遊技機島用コイン・遊技球搬送装置では、請求項６に記載のように、第１無端ベルトの外周面上にある排出球を球排出孔に誘導する誘導手段を備えるようにするとよい。
【００３２】
このように構成された遊技機島用コイン・遊技球搬送装置では、第１外周面上にある排出球は球排出孔に誘導されるため、第１外周面上の排出球が、第１無端ベルトから落下し易くなる。
【００３３】
また請求項１〜請求項６の何れかに記載の遊技機島用コイン・遊技球搬送装置では、請求項７に記載のように、無端搬送ベルトを振動させる振動手段を備えるようにするとよい。
【００３４】
このように構成された遊技機島用コイン・遊技球搬送装置では、第１外周面上で停止していた排出球が、振動により第１外周面上を移動するようになる。そして、移動する排出球が球排出孔に到達すると、この排出球は球排出孔を通過して第１無端ベルトから落下する。即ち、第１外周面上の排出球が第１無端ベルトから落下し易くなる。
【００３５】
また請求項１〜請求項７の何れかに記載の遊技機島用コイン・遊技球搬送装置では、請求項８に記載のように、第１無端ベルトの外周面から、排出コインの幅より高く且つ排出球の直径より低い位置に配置され、第１無端ベルトの外周面上にある排出コインのコイン搬送方向への移動を許可し、且つ第１無端ベルトの外周面上にある排出球のコイン搬送方向への移動を阻止する球阻止手段を備えるようにするとよい。
【００３６】
以下に、この理由を図１２（ａ），（ｂ）を用いて説明する。図１２（ａ），（ｂ）は、球阻止手段を設けた場合の効果を説明するための搬送ベルトＢＥの側面図であり、図１２（ａ）→図１２（ｂ）の順に時間が経過した状態を示している。
【００３７】
まず図１２（ａ）に示すように、コイン搬送方向（図中における実線の矢印を参照）にコイン及び球を搬送する搬送ベルトＢＥには、コイン及び球を受け入れる側の面（以降、搬送面ＢＳと称す）上に、球が通過可能であるとともにコインが通過不能となる複数の球排出孔Ｈ１，Ｈ２が形成されている。
【００３８】
また、搬送面ＢＳから、コインの幅より高く且つ球の直径より低い位置に配置され、搬送面ＢＳ上にあるコインのコイン搬送方向への移動を許可し且つ搬送面ＢＳ上にある球のコイン搬送方向への移動を阻止するフィルタＦ１を備えている。
【００３９】
このように構成された搬送ベルトＢＥにおいて、球排出孔Ｈ２における開口部を塞いだ状態でコインＣ１１が搬送面ＢＳ上に載置され、更にこのコインＣ１１上に球Ｐ１１が載置された状態で、このコインＣ１１及び球Ｐ１１がフィルタＦ１に接近する場合を想定する。
【００４０】
この時、コインＣ１１はフィルタＦ１の直下を通過するのに対して、球Ｐ１１はフィルタＦ１によって移動を阻止される（図１２（ｂ）参照）。これにより球Ｐ１１は、コインＣ１１上に載置された状態から、搬送面ＢＳ上に載置された状態となる。そして、搬送面ＢＳ上の球Ｐ１１が、上流側に形成された球排出孔（例えば、図中の球排出孔Ｈ１）に到達した場合に、この球排出孔を通過して搬送ベルトＢＥから落下する。
【００４１】
つまり、排出コイン上に排出球が載置された状態を解消することにより、排出球が球排出孔に到達する可能性が高まる。従って、第１外周面上の排出球を第１無端ベルトから落下し易くすることができる。
【００４２】
また請求項１〜請求項８の何れかに記載の遊技機島用コイン・遊技球搬送装置では、請求項９に記載のように、スロット機または台間機毎に当該スロット機または当該台間機から排出される排出コインの数を計数する排出コイン計数手段と、排出コイン計数手段による計数結果が予め設定された所定動作禁止条件を満たした場合に、ベルト移動手段の動作を禁止するコイン搬送禁止手段とを備えるようにするとよい。
【００４３】
このように構成された遊技機島用コイン・遊技球搬送装置では、所定動作禁止条件に応じて、ベルト移動手段の動作を禁止することができる。
このため、ベルト移動手段を常時動作させる場合よりも、ベルト移動手段を動作させるための電力消費を抑制できる。
【００４４】
また、ベルト移動手段を常時動作させる場合よりも、無端搬送ベルト自体の消耗や、無端搬送ベルトを駆動するための手段（例えば、モータ）の消耗を抑制できる。
なお、上記の所定動作禁止条件は、請求項１０に記載のように、スロット機または台間機から排出される排出コインの数が予め設定された所定コイン計数値未満であること、及び、当該遊技機島に設置された全てのスロット機または台間機から排出される排出コインの総数が予め設定された所定コイン総数値未満であることの、少なくとも一方であるようにするとよい。
【００４５】
即ち、所定動作禁止条件が、スロット機または台間機から排出される排出コインの数が予め設定された所定コイン計数値未満である場合には、スロット機または台間機から排出される排出コインの数が所定コイン計数値以上になると、ベルト移動手段は動作を開始する。
【００４６】
即ち、排出コインの数が所定コイン計数値未満の場合は、ベルト移動手段は動作を停止する。このため、ベルト移動手段を常時動作させる場合よりも、ベルト移動手段を動作させるための電力消費を抑制できる。
【００４７】
一方、所定動作禁止条件が、当該遊技機島に設置された全てのスロット機または台間機から排出される排出コインの総数が予め設定された所定コイン総数値未満である場合には、当該遊技機島に設置された全てのスロット機または台間機から排出される排出コインの総数が所定コイン総数値以上になると、ベルト移動手段は動作を開始する。
【００４８】
即ち、排出コインの総数が所定コイン総数値未満の場合は、ベルト移動手段は動作を停止する。このため、ベルト移動手段を常時動作させる場合よりも、ベルト移動手段を動作させるための電力消費を抑制できる。
【００４９】
更に請求項９及び請求項１０に記載の遊技機島用コイン・遊技球搬送装置では、スロット機または台間機からのコイン排出量に基づいて、ベルト移動手段の動作／停止を制御するものを示したが、遊技機からの遊技球排出量に基づいて、ベルト移動手段の動作／停止を制御するようにしてもよい。
【００５０】
即ち、請求項１〜請求項１０の何れかに記載の遊技機島用コイン・遊技球搬送装置において、請求項１１に記載のように、遊技機毎に当該遊技機から排出される排出球の数を計数する排出球計数手段と、排出球計数手段による計数結果に基づき、当該遊技機島に設置された全ての遊技機から排出される排出球の総数が予め設定された所定球総数値未満である場合には、ベルト移動手段の動作を禁止する第３コイン搬送禁止手段とを備えるようにしてもよい。
【００５１】
このように構成された遊技機島用コイン・遊技球搬送装置では、遊技機から排出される排出球の数が所定球総数値以上になると、ベルト移動手段は動作を開始する。
即ち、排出球の数が所定球総数値未満の場合は、ベルト移動手段は動作を停止する。このため、ベルト移動手段を常時動作させる場合よりも、ベルト移動手段を動作させるための電力消費を抑制できる。また、ベルト移動手段を常時動作させる場合よりも、無端搬送ベルト自体の消耗や、無端搬送ベルトを駆動するための手段（例えば、モータ）の消耗を抑制できる。
【００５２】
尚、請求項９〜請求項１１に記載の所定コイン計数値，所定コイン総数値及び所定球総数値については、無端搬送ベルト上に排出コイン及び排出球を載せて、ベルト移動手段が効率よく搬送する（即ち、少ない電力消費で多く排出コイン及び排出球を搬送する）ことができるように設定してもよいし、無端搬送ベルトやモータに過大に負荷が掛からないように設定してもよい。
【発明を実施するための最良の形態】
【００５３】
以下に本発明の実施形態について図面をもとに説明する。
図１は本発明が適用された遊技機島用コイン・遊技球搬送装置（以降、搬送装置とも称す）１の全体構成を示すブロック図である。
【００５４】
図１に示すように遊技機島３には、この遊技機島３の長手方向に沿って並設される複数のパチンコ遊技機（以降、パチンコ機と称す）１１と、各パチンコ機１１の下方に設置され、対応するパチンコ機１１において遊技盤上に打ち出された遊技球（以降、球と称す）を回収し、回収された球の数を計数するアウトボックス１２と、各パチンコ機１１の側方（図では右側）に設置され、予め設定された金額の硬貨（例えば、１００円硬貨と５００円硬貨）を投入可能な投入口を備えて、この投入口に投入された硬貨の金額に応じた数の球を遊技客に貸し出す台間機１３と、硬貨を収納する金庫１４と、遊技機島３における長手方向の中央に設置され、搬送装置１により搬送された球を遊技機島３の上部へ揚送する揚送機１５と、パチンコ機１１の上方に設置され、揚送機１５により揚送された球を各パチンコ機１１へ配給する配給樋１６と、硬貨及び球をそれぞれ金庫１４及び揚送機１５まで搬送する搬送装置１とが取り付けられている。
【００５５】
尚、遊技場内の全てのパチンコ機１１にはそれぞれ、パチンコ機１１の遊技場内における位置を特定するための固有の番号（以降、台番号と称す）が付されている（図１におけるパチンコ機１１には、２２１から２３０までの台番号が付されている。）。
【００５６】
このうちパチンコ機１１は、球を当該パチンコ機１１の下方へ排出するように構成される。なお以降、パチンコ機１１から排出された球を排出球と称す。
またアウトボックス１２は、パチンコ機１１から回収した球を、当該アウトボックス１２の下方へ排出するように構成される。
【００５７】
また台間機１３は、投入口に投入された硬貨を、当該台間機１３の下方へ排出するように構成される。
また搬送装置１は、アウトボックス１２から排出された排出球、及び台間機１３から排出された硬貨（以降、排出コインとも称す）を受け入れて搬送する無端搬送ベルト２１と、無端搬送ベルト２１を移動させるための駆動ローラ２２及び従動ローラ２３と、ベルト往路部（後述）において無端搬送ベルト２１の移動方向に沿って配置され、無端搬送ベルト２１の移動をガイドする往路部ガイドローラ２４と、ベルト復路部（後述）において無端搬送ベルト２１の移動方向に沿って配置され、無端搬送ベルト２１の移動をガイドする復路部ガイドローラ２５と、無端搬送ベルト２１により搬送される排出球が金庫１４に到達するのを阻止するためのフィルタ２６と、無端搬送ベルト２１を振動させる加振機２７と、無端搬送ベルト２１から落下する排出球を受け止める球受止部２８と、球受止部２８で受け止められた排出球を揚送機１５まで誘導する誘導通路２９と、搬送装置１全体の動作を制御する制御装置４０（図５参照）と、駆動ローラ２２を駆動する駆動モータ２２ａ（図５参照）とから構成される。
【００５８】
このうち無端搬送ベルト２１は、アウトボックス１２及び台間機１３の下方に設置され、遊技機島３の長手方向一端付近から中央付近に亘って、駆動ローラ２２と従動ローラ２３とにより無端状に架け渡される。これにより無端搬送ベルト２１では、駆動ローラ２２の回動（図１中では反時計回り）により、無端搬送ベルト２１における駆動ローラ２２及び従動ローラ２３を挟んだ上側部分（以降、ベルト往路部と称す）が図１中右から左方向（図１中の矢印Ｄ１参照。以降、この方向をベルト搬送方向と称す）へ移動し、下側部分（以降、ベルト復路部と称す）が図１中左から右方向（図１中の矢印Ｄ２参照。以降、この方向を反ベルト搬送方向と称す）へ移動する。
【００５９】
また往路部ガイドローラ２４は、ベルト往路部を挟んでアウトボックス１２と反対側においてベルト往路部に接するように配設される。
また復路部ガイドローラ２５は、ベルト復路部を挟んで往路部ガイドローラ２４と反対側においてベルト往路部に接するように配設される。尚、復路部ガイドローラ２５の最上端部は、駆動ローラ２２の最下端部よりも高くなるように配置されている。これにより、ベルト往路部において、駆動ローラ２２の最下端部と、駆動ローラ２２に最も近く配置されている復路部ガイドローラ２５（以降、最上流復路部ガイドローラとも称す）との間で、反ベルト搬送方向に向かうにつれて高くなるように傾斜した部分が形成される。
【００６０】
またフィルタ２６は、ベルト往路部を挟んでパチンコ機１１が設置されている側において、パチンコ機１１毎に設置される。なおフィルタ２６は、対応するパチンコ機１１が排出する排出球及び排出コインが無端搬送ベルト２１上に落下する位置より、ベルト搬送方向下流側に配置される。これにより、対応するパチンコ機１１から排出される排出球が、このパチンコ機１１よりベルト搬送方向下流にあるパチンコ機１１の下方まで移動することを阻止する。
【００６１】
また加振機２７は、フィルタ２６が配置される箇所毎に、フィルタ２６よりベルト搬送方向下流側に配置されている。
また球受止部２８は、無端搬送ベルト２１の下方において、無端搬送ベルト２１のベルト搬送方向最下流部から最上流復路部ガイドローラに亘って、無端搬送ベルト２１と対向するように配置される。なお球受止部２８には、受け止めた排出球を誘導通路２９へ排出するための通過孔２８ａが形成されている。
【００６２】
また誘導通路２９は、球受止部２８から揚送機１５の下部に向けて下方に傾斜した樋を形成している。
また金庫１４は、駆動ローラ２２の近傍に設置されており、無端搬送ベルト２１によって駆動ローラ２２まで搬送された排出コインが無端搬送ベルト２１から落下した際に、この落下する排出コインを受け入れて収納するように構成される。
【００６３】
次に無端搬送ベルト２１の構成を図２に基づいて説明する。図２（ａ）は無端搬送ベルト２１の平面図、図２（ｂ）は図２（ａ）のＡ−Ａ断面部を示す図である。
図２（ａ），図２（ｂ）に示すように無端搬送ベルト２１は、無端帯状に形成された第１ベルト本体部５１と、無端帯状に形成され、外周面の全周に亘ってこの外周面が第１ベルト本体部５１の内周面と対向するように配置された第２ベルト本体部５６と、第１ベルト本体部５１と第２ベルト本体部５６との互いに対向する端縁部同士を全周に亘って連結するベルト連結部５５とから構成される。従って、無端搬送ベルト２１の周方向に沿った断面は中空箱形状となっている。尚、無端搬送ベルト２１は、例えばゴム等を材質にして形成されている。
【００６４】
また第１ベルト本体部５１には、排出球及び排出コインを受け入れる側の面（以降、第１外周面と称す）上に、排出球が通過可能で且つ排出コインが通過不能に構成された複数の球排出孔５２が形成されている。更に、第１外周面上における幅方向両端それぞれの端縁部に全周に亘って、この端縁部から第１外周面上の排出球が落下することを防止するための遮蔽凸部５３が立設されている。また第１ベルト本体部５１の内部において、第１ベルト本体部５１の強度を補強する補強ワイヤ５４が第１ベルト本体部５１の全周に亘って埋設されている。
【００６５】
なお球排出孔５２は、排出球の直径より大きく且つ排出コインの直径より小さい直径を有する円柱状の貫通孔５２ａと、第１外周面上での貫通孔５２ａの孔縁部において漏斗状に傾斜した第１傾斜部５２ｂと、第１外周面と反対側の面での貫通孔５２ａの孔縁部において漏斗状に傾斜した第２傾斜部５２ｃとから構成される。また本実施形態では、複数の球排出孔５２は、第１ベルト本体部５１の周方向沿って等間隔に整列して配置され、また幅方向沿って等間隔（この間隔を以降、幅方向排出孔間隔と称す）に整列して配置されている。
【００６６】
また第２ベルト本体部５６には、第２ベルト本体部５６の排出球を受け入れる側の面上に、断面が円弧状の凹部となる複数のディンプル５７が形成されている。更に第２ベルト本体部５６の内部において、第２ベルト本体部５６の強度を補強する補強ワイヤ５８が第２ベルト本体部５６の全周に亘って埋設されている。
【００６７】
次にフィルタ２６の構成を図３に基づいて説明する。図３（ａ）はフィルタ２６の平面図、図３（ｂ）はフィルタ２６の側面図である。
図３（ａ），図３（ｂ）に示すようにフィルタ２６は、排出球の通過を阻止するとともに、阻止した排出球を予め設定された所定案内位置に案内する球案内部材６１と、球案内部材６１を第１外周面上において上下動可能に支持する支持部６２と、球案内部材６１による下方向の移動を規制するとともに、球案内部材６１による上方向の移動を検出する下方規制部材６３と、球案内部材６１の上方向への移動を規制する上方規制部材６４と、球案内部材６１を下方に付勢する付勢バネ６５とから構成される。
【００６８】
これらのうち球案内部材６１は、略Ｖ字状の凹部（以降、Ｖ字凹部と称す）が、予め設定された方向（以降、凹部配列方向と称す）に沿って上記の幅方向排出孔間隔毎に形成された形状をしている。
【００６９】
また支持部６２は、このＶ字凹部の内側がベルト搬送方向上流側を向くように、更に凹部配列方向が第１ベルト本体部５１の幅方向と一致するように、球案内部材６１を、ベルト往路部を挟んでパチンコ機１１が設置されている側において支持する。
【００７０】
また下方規制部材６３は、第１外周面上から突出する高さが排出コインの幅より高く且つ排出球の直径より低くなるように配置されて支持部６２を支持する本体部６３ａと、球案内部材６１が下方規制部材６３と接触している場合にはオフとなり、球案内部材６１が下方規制部材６３と非接触の場合にはオンとなる接触検出センサ６３ｂとから構成される。
【００７１】
また上方規制部材６４は、第１外周面から排出球の直径より高い位置に配置されるようにして、支持部６２に固定される。
また付勢バネ６５は、一端が上方規制部材６４に他端が球案内部材６１に連結されている。
【００７２】
次に加振機２７の構成を図４に基づいて説明する。図４は加振機２７の側面図である。
図４に示すように加振機２７は、接触検出センサ６３ｂがオンになったときに振動する振動源を備えた加振本体部７１と、加振本体部７１に連結され、加振本体部７１において発生した振動を無端搬送ベルト２１に伝達する振動伝達部７２とから構成される。
【００７３】
尚、加振本体部７１の内部には、接触検出センサ６３ｂと導線７３により接続され、接触検出センサ６３ｂがオンになると通電し、通電後は予め設定された所定振動時間（例えば、１０秒間）、通電を自己保持するリレー回路（不図示）が設けられている。そして、加振本体部７１は、リレー回路が通電している間、動作するように構成されている。これにより、接触検出センサ６３ｂがオンからオフになっても、オフになってから所定振動時間の間は、振動を継続させることができる。
【００７４】
次に搬送装置１の電気的構成を図５に基づいて説明する。図５は、搬送装置１，アウトボックス１２及び台間機１３の電気的構成を表すブロック図である。
図５に示すように、アウトボックス１２は、回収した排出球を予め設けられた排出口から排出する際に、この排出口を通過する排出球の数が予め設定された所定球検出値（例えば、１０個）に達する毎に、その旨を示す球計数情報を送信する球計数機１２ａを備える。尚、球計数情報には、このアウトボックス１２に対応したパチンコ機１１の台番号を示す台番号情報が付与されている。
【００７５】
また台間機１３は、投入された硬貨を予め設けられた排出口から排出する際に、この排出口を通過する硬貨（排出コイン）の数が予め設定された所定コイン検出値（例えば、１０枚）に達する毎に、その旨を示すコイン計数情報を送信するコイン計数機１３ａを備える。尚、コイン計数情報には、この台間機１３に対応したパチンコ機１１の台番号を示す台番号情報が付与されている。
【００７６】
また搬送装置１は、駆動モータ２２ａと、駆動モータ２２ａを制御する制御装置４０とから構成される。
このうち制御装置４０は、駆動モータ２２ａに駆動信号を伝えるモータ駆動回路４２と、当該搬送装置１が排出球を搬送すべき対象としているアウトボックス１２に対応する球計数機１２ａから球計数情報を受信するとともに、当該搬送装置１が排出コインを搬送すべき対象としている台間機１３に対応するコイン計数機１３ａからコイン計数情報を受信する通信部４３と、制御装置４０全体の動作を制御する制御部４１とから構成される。
【００７７】
また制御部４１は、所定の処理プログラムに基づいて処理を実行するＣＰＵ８１と、種々の処理プログラムが格納されたＲＯＭ８２と、種々のデータを格納するＲＡＭ８３と、モータ駆動回路４２及び通信部４３が接続され、ＣＰＵ８１及びＲＡＭ８３との間で信号及びデータの入出力を行う入出力部８４とから構成され、ＣＰＵ８１，ＲＯＭ８２，ＲＡＭ８３及び入出力部８４はバス８５を介して接続されている。
【００７８】
尚ＲＡＭ８３には、図１０（ａ）に示すように、当該搬送装置１が排出球を搬送すべき対象としているアウトボックス１２から排出される排出球の数（以降、排出球数と称す）をアウトボックス１２毎に記憶するとともに、当該搬送装置１が排出コインを搬送すべき対象としている台間機１３から排出される排出コインの数（以降、排出コイン数と称す）を台間機１３毎に記憶する球・コイン排出数リスト８３ａの記憶領域が確保されている。
【００７９】
またＲＡＭ８３には、第１外周面上の排出球の総数を示す総排出球数値を記憶する総排出球数記憶バッファＢ１と、第１外周面上の排出コインの総数を示す総排出コイン数値を記憶する総排出コイン数記憶バッファＢ２が設けられている。
【００８０】
またモータ駆動回路４２は、無端搬送ベルト２１を移動させるための搬送ベルト移動指令が入力すると、搬送ベルト移動指令に付与されている移動数情報（後述）を抽出し、移動数情報により示されるベルト移動数（後述）に応じた距離を無端搬送ベルト２１が移動するように、駆動モータ２２ａを駆動する。例えばベルト移動数が「５」の場合には、隣接して設置されているパチンコ機１１間の距離（以降、パチンコ機間距離と称す）の５倍に相当する距離を移動させる。
【００８１】
このように構成された搬送装置１において、ＣＰＵ８１は、球計数情報及びコイン計数情報等に基づいて球・コイン排出数リスト８３ａを更新する排出数リスト更新処理と、無端搬送ベルト２１の移動を制御するベルト移動制御処理とを実行する。
【００８２】
ここで、搬送装置１のＣＰＵ８１が実行する排出数リスト更新処理の手順を図６を用いて説明する。図６は排出数リスト更新処理を表すフローチャートである。尚、この排出数リスト更新処理は、ＣＰＵ８１が起動（電源オン）している間に繰り返し実行される処理である。
【００８３】
この排出数リスト更新処理が実行されると、ＣＰＵ８１は、まずＳ１０にて、球計数機１２ａから球計数情報を受信したか否かを判断する。ここで球計数情報を受信していない場合には（Ｓ１０：ＮＯ）、Ｓ４０に移行する。
【００８４】
一方、球計数情報を受信した場合には（Ｓ１０：ＹＥＳ）、Ｓ２０にて、受信した球計数情報に基づいて球・コイン排出数リスト８３ａを更新する。即ち、受信した球計数情報から台番号情報を抽出して、その後に球・コイン排出数リスト８３ａにおいて、この台番号情報により示される台番号に対応したアウトボックス１２の排出球数の値を１０加算する。そしてＳ３０にて、球・コイン排出数リスト８３ａにおける全ての排出球数（即ち、台番号２２１〜２３０の排出球数）の総和を計算し、この総和値を総排出球数値として、総排出球数記憶バッファＢ１に記憶して、Ｓ４０に移行する。
【００８５】
そしてＳ４０に移行すると、コイン計数機１３ａからコイン計数情報を受信したか否かを判断する。ここでコイン計数情報を受信していない場合には（Ｓ４０：ＮＯ）、Ｓ７０に移行する。
【００８６】
一方、コイン計数情報を受信した場合には（Ｓ４０：ＹＥＳ）、Ｓ５０にて、受信したコイン計数情報に基づいて球・コイン排出数リスト８３ａを更新する。即ち、受信したコイン計数情報から台番号情報を抽出して、その後に球・コイン排出数リスト８３ａにおいて、この台番号情報により示される台番号に対応した排出コイン数の値を１０加算する。そしてＳ６０にて、球・コイン排出数リスト８３ａにおける全ての排出コイン数（即ち、台番号２２１〜２３０の排出コイン数）の総和を計算し、この総和値を総排出コイン数値として、総排出コイン数記憶バッファＢ２に記憶して、Ｓ７０に移行する。
【００８７】
そしてＳ７０に移行すると、制御装置４０が搬送ベルト移動指令を出力したか否かを判断する。ここで搬送ベルト移動指令を出力していない場合には（Ｓ７０：ＮＯ）、排出数リスト更新処理を終了する。
【００８８】
一方、搬送ベルト移動指令を出力した場合には（Ｓ７０：ＹＥＳ）、Ｓ８０にて、この搬送ベルト移動指令に付与された移動数情報により示されるベルト移動数に基づいて球・コイン排出数リスト８３ａを更新する。即ち、球・コイン排出数リスト８３ａにおける排出球数を全て０にするとともに、球・コイン排出数リスト８３ａにおける排出コイン数の値をベルト移動数分繰り上げる。つまり、無端搬送ベルト２１が移動すると、第１外周面上にあった排出球が第１ベルト本体部５１から全て落下し、第１外周面上の排出コインはベルト移動数分、金庫１４に近づくという考えに基づいて、球・コイン排出数リスト８３ａを更新する。
【００８９】
例えば、ベルト移動数が「３」の場合には、図１０（ｂ）に示すように、台番号２２９に対応する排出コイン数（図１０（ｂ）では２０）を台番号２２６に対応する排出コイン数に設定する。尚、或る台番号に対応する排出コイン数において、繰り上げられる排出コイン数が存在しない場合には、排出コイン数を「０」に設定する。例えば図１０（ｂ）では、台番号２２８〜２３０に対応する排出コイン数が「０」に設定される。
【００９０】
その後Ｓ９０にて、球・コイン排出数リスト８３ａにおける全ての排出球数の総和を計算し、この総和値を総排出球数値として、総排出球数記憶バッファＢ１に記憶するとともに、球・コイン排出数リスト８３ａにおける全ての排出コイン数の総和を計算し、この総和値を総排出コイン数値として、総排出コイン数記憶バッファＢ２に記憶する。そして排出数リスト更新処理を終了する。
【００９１】
次に、搬送装置１のＣＰＵ８１が実行するベルト移動制御処理の手順を図７を用いて説明する。図７はベルト移動制御処理を表すフローチャートである。尚、このベルト移動制御処理は、ＣＰＵ８１が起動（電源オン）している間に繰り返し実行される処理である。
【００９２】
尚、ベルト移動制御処理において、球・コイン排出数リスト８３ａにおける台番号２２１，２２２，２２３，・・・，２２９，２３０に対応する排出球数をそれぞれ、排出球数Ｎ１（１），Ｎ１（２），Ｎ１（３），・・・，Ｎ１（９），Ｎ１（１０）とする。また、球・コイン排出数リスト８３ａにおける台番号２２１，２２２，２２３，・・・，２２９，２３０に対応する排出コイン数をそれぞれ、排出コイン数Ｎ２（１），Ｎ２（２），Ｎ２（３），・・・，Ｎ２（９），Ｎ２（１０）とする。
【００９３】
また、以下に説明するベルト移動制御処理において用いられる第１台識別番号ｉ，第２台識別番号ｊ，移動数判定値ｋ，コイン総数判定値Ｓ及びベルト移動数暫定値ｐは、０以上の整数値をとる変数である。
【００９４】
このベルト移動制御処理が実行されると、ＣＰＵ８１は、まずＳ２１０にて、総排出球数記憶バッファＢ１に記憶された値（総排出球数値）が予め設定された所定排出球総数値（本実施形態では、例えば遊技球２０００個に相当する値）より大きいか否かを判断する。
【００９５】
ここで、総排出球数値が所定排出球総数値以下である場合には（Ｓ２１０：ＮＯ）、Ｓ２３０に移行する。一方、総排出球数値が所定排出球総数値より大きい場合には（Ｓ２１０：ＹＥＳ）、Ｓ２２０にて、ベルト移動数暫定値ｐを予め設定された所定島内台数値（本実施形態では、台番号２２１〜２３０の１０台のパチンコ機１１が設置されているため、「１０」と設定される）にして、Ｓ２３０に移行する。
【００９６】
そしてＳ２３０に移行すると、第１台識別番号ｉの値を１加算し、Ｓ２４０にて、第１台識別番号ｉの値が所定島内台数値より大きいか否かを判断する。ここで、第１台識別番号ｉが所定島内台数値より大きい場合には（Ｓ２４０：ＹＥＳ）、Ｓ２７０に移行する。
【００９７】
一方、第１台識別番号ｉが所定島内台数値以下の場合には（Ｓ２４０：ＮＯ）、Ｓ２５０にて、排出コイン数Ｎ２（ｉ）が予め設定された所定排出コイン数値（本実施形態では、例えばコイン５０枚に相当する値）であるか否かを判断する。ここで、排出コイン数Ｎ２（ｉ）が所定排出コイン数値以下の場合には（Ｓ２５０：ＮＯ）、Ｓ２３０に移行して上述の処理を繰り返す。一方、排出コイン数Ｎ２（ｉ）が所定排出コイン数値より大きい場合には（Ｓ２５０：ＹＥＳ）、Ｓ２６０にて、ベルト移動数暫定値ｐを１にして、Ｓ２７０に移行する。
【００９８】
そしてＳ２７０に移行すると、第１台識別番号ｉの値を０にして、Ｓ２８０にて、第２台識別番号ｊの値を１加算する。その後Ｓ２９０にて、第２台識別番号ｊの値が所定島内台数値より大きいか否かを判断する。ここで、第２台識別番号ｊが所定島内台数値より大きい場合には（Ｓ２９０：ＹＥＳ）、Ｓ３６０に移行する。
【００９９】
一方、第２台識別番号ｊが所定島内台数値以下の場合には（Ｓ２９０：ＮＯ）、Ｓ３００にて、コイン総数判定値Ｓに排出コイン数Ｎ２（ｊ）を加算して、Ｓ３１０にて、移動数判定値ｋが０より大きいか否かを判断する。
【０１００】
ここで、移動数判定値ｋが０である場合には（Ｓ３１０：ＮＯ）、Ｓ３２０にて、コイン総数判定値Ｓが予め設定された第１所定コイン総数値（本実施形態では、例えばコイン１００枚に相当する値）より大きいか否かを判断する。ここで、コイン総数判定値Ｓが第１所定コイン総数値以下である場合には（Ｓ３２０：ＮＯ）、Ｓ２８０に移行して上述の処理を繰り返す。一方、コイン総数判定値Ｓが第１所定コイン総数値より大きい場合には（Ｓ３２０：ＹＥＳ）、Ｓ３３０にて、移動数判定値ｋを第２台識別番号ｊにする。そして、Ｓ２８０に移行して上述の処理を繰り返す。
【０１０１】
またＳ３１０にて、移動数判定値ｋが０より大きい場合には（Ｓ３１０：ＹＥＳ）、Ｓ３４０にて、コイン総数判定値Ｓが、第１所定コイン数値より大きくなるように予め設定された第２所定コイン総数値（本実施形態では、例えばコイン２００枚に相当する値）より大きいか否かを判断する。ここで、コイン総数判定値Ｓが第２所定コイン総数値以下である場合には（Ｓ３４０：ＮＯ）、Ｓ２８０に移行して上述の処理を繰り返す。一方、コイン総数判定値Ｓが第２所定コイン総数値より大きい場合には（Ｓ３４０：ＹＥＳ）、Ｓ３５０にて、移動数判定値ｋを（所定島内台数値−第２台識別番号ｊ−１）にして、Ｓ３６０に移行する。
【０１０２】
そしてＳ３６０に移行すると、第２台識別番号ｊ，コイン総数判定値Ｓ及び移動数判定値ｋを０にする。その後Ｓ３７０にて、ベルト移動数暫定値ｐが０より大きいか否かを判断する。ここで、ベルト移動数暫定値ｐが０である場合には（Ｓ３７０：ＮＯ）、ベルト移動制御処理を終了する。一方、ベルト移動数暫定値ｐが０より大きい場合には（Ｓ３７０：ＹＥＳ）、Ｓ３８０にて、移動数情報をベルト移動数暫定値ｐに設定し、この移動数情報をコイン搬送ベルト移動指令に付与する。そして、このコイン搬送ベルト移動指令を入出力部８４を介してモータ駆動回路４２へ出力する。その後Ｓ３９０にて、ベルト移動数暫定値ｐを０にして、ベルト移動制御処理を終了する。
【０１０３】
このように構成された搬送装置１では、ベルト往路部がベルト搬送方向に沿って移動するように無端搬送ベルト２１が循環移動する。また球受止部２８は、球排出孔５２を通過して無端搬送ベルト２１から落下する排出球を受け止める。そして誘導通路２９は、球受止部２８で受け止められた排出球を揚送機１５まで搬送する。
【０１０４】
即ち、パチンコ機から排出された球（排出球）と、台間機１３から排出された硬貨（排出コイン）は、まず第１ベルト本体部５１の外周面（第１外周面）に受け入れられる。
そして、受け入れられた排出コインは、第１外周面に受け入れられた状態で、ベルト搬送方向に向かって移動して、ベルト搬送方向の最下流部で、第１ベルト本体部５１から落下する（図８（ａ）のコインＣ１を参照）。これにより、排出コインが金庫１４に回収される。
【０１０５】
一方、第１ベルト本体部５１に受け入れられた排出球については、この排出球が球排出孔５２に到達するとこの球排出孔５２を通過して第１ベルト本体部５１から落下する。そして、この落下した排出球は第２ベルト本体部５６の外周面（以降、第２外周面とも称す）に受け入れられる。その後、受け入れられた排出球は、第２外周面に受け入れられた状態で、ベルト搬送方向に向かって移動して、ベルト搬送方向の最下流部で、第２ベルト本体部５６から落下する（図８（ａ）の球Ｐ１を参照）。
【０１０６】
そして、ベルト搬送方向の最下流部で第２ベルト本体部５６から落下した排出球は、反ベルト搬送方向に向かって循環移動する第１ベルト本体部５１の内周面（以降、第１内周面とも称す）に受け入れられる。その後、第１内周面に受け入れられた排出球が、球排出孔５２に到達するとこの球排出孔５２を通過して第１ベルト本体部５１から落下する（図８（ａ）の球Ｐ２，Ｐ３を参照）。つまり、無端搬送ベルト２１から落下する。
【０１０７】
また無端搬送ベルト２１から落下した排出球は、球受止部２８で受け止められる。そして、球受止部２８で受け止められた排出球が通過孔２８ａから排出されると、この排出球は、誘導通路２９の傾斜に沿って転がって、揚送機１５へ誘導される（図８（ａ）の球Ｐ４を参照）。
【０１０８】
このため、硬貨を搬送する装置と球を搬送する装置とを、排出球の落下方向（つまり縦方向）に並べて配置することができる。つまり、硬貨を搬送する装置と球を搬送する装置とを遊技機島の島幅方向に並べて配置する必要がなくなるために、遊技機島の島幅の増加を抑制できる。
【０１０９】
また、第１ベルト本体部５１と第２ベルト本体部５６とが一体に循環移動可能に連結された無端搬送ベルト２１がベルト搬送方向に沿って循環移動する。即ち、搬送ベルトを循環移動させるための駆動系を１つ設けるだけでよい。従って、硬貨を搬送する装置と球を搬送する装置とで別々の駆動系を設ける場合よりも駆動系の数を減らすことができる分、駆動系をメンテナンスする手間を省略できるとともに、製造コストを抑制することができる。
【０１１０】
また、球排出孔５２を通過して無端搬送ベルト２１から落下する排出球を、まず球受止部２８で受け止めた後に、誘導通路２９により揚送機１５まで搬送させるため、球受止部２８と無端搬送ベルト２１との間の距離を短くすることにより、排出球が球受止部２８に衝突する際の衝撃を抑制することができる。従って、排出球を受け入れる際の、受け入れ部分の損傷や排出球の跳ね返りを抑制できる。
【０１１１】
また誘導通路２９は、球受止部２８から揚送機１５の下部に向けて下方に傾斜した樋である。したがって、球受止部２８に受け入れられた排出球を揚送機１５まで搬送するための電力が不要となるため、電力消費を抑制できる。
【０１１２】
また球排出孔５２は、第１外周面上での貫通孔５２ａの孔縁部において漏斗状に傾斜した第１傾斜部５２ｂを備えている。即ち、第１傾斜部５２ｂ上に位置する排出球は、この漏斗状傾斜に沿って貫通孔５２ａに向かって移動する。このため、第１外周面上の排出球が第１ベルト本体部５１から落下し易くなる。
【０１１３】
また球排出孔５２は、第１内周面上での貫通孔５２ａの孔縁部において漏斗状に傾斜した第２傾斜部５２ｃを備えている。即ち、第２傾斜部５２ｃ上に位置する排出球は、この漏斗状傾斜に沿って貫通孔５２ａに向かって移動する。このため、第１内周面上の排出球が第１ベルト本体部５１から落下し易くなる。
【０１１４】
ところで、第２ベルト本体部５６の外周面（第２外周面）が、ベルト搬送方向に向かうにつれて高くなるように傾斜している場合には、第２外周面上の排出球がベルト搬送方向とは反対の方向に移動してしまう虞がある。
【０１１５】
しかしながら、第２外周面上には、複数のディンプル５７が形成されている。従って、第２外周面上の排出球がディンプル５７内に進入すると、この排出球はディンプル５７の内部に閉じ込められる（図８（ｂ）参照）。即ち、第２外周面上の排出球がベルト搬送方向とは反対の方向へ移動することを阻止できる。
【０１１６】
また球案内部材６１は、図９（ａ）に示すように、略Ｖ字状の凹部の内側がベルト搬送方向Ｄ１の上流側を向くように配置され、更に、球排出孔５２の移動経路の直上に凹部における略Ｖ字状の頂点部が配置されるように設定されている。
【０１１７】
このため、ベルト搬送方向の上流から搬送されてくる排出球が、球案内部材６１に到達し、凹部における略Ｖ字状の直線部分に接触すると、凹部における略Ｖ字状の直線部分に沿って移動し球排出孔５２まで誘導される（図中における、排出球Ｐ４及び１点鎖線の矢印を参照）。従って、第１外周面上の排出球が、第１ベルト本体部５１から落下し易くなる。
【０１１８】
また球案内部材６１は、第１外周面上から突出する高さが排出コインの幅より高く且つ排出球の直径より低くなるようにして支持部６２に固定された下方規制部材６３によって、下方向への移動が規制されている。このため、第１外周面上の排出コインは球案内部材６１の直下を通過することができる。一方、第１外周面上の排出球は球案内部材６１により移動を阻止される。
【０１１９】
従って、図９（ａ）に示すように、球排出孔５２における開口部を塞いだ状態で排出コインＣ５が第１外周面上に載置され、更にこの排出コインＣ５上に排出球Ｐ５が載置された状態で、この排出コインＣ５及び排出球Ｐ５が球案内部材６１に接近する場合には、排出コインＣ５は球案内部材６１の直下を通過するのに対して、排出球Ｐ５は球案内部材６１によって移動を阻止される。これにより排出球Ｐ５は、排出コインＣ５上に載置された状態から、第１外周面上に載置された状態となる。そして、第１外周面上の排出球Ｐ５が、上流側に形成された球排出孔５２に到達した場合に、この球排出孔５２を通過して第１ベルト本体部５１から落下する。
【０１２０】
つまり、排出コイン上に排出球が載置された状態を解消することにより、排出球が球排出孔５２に到達する可能性が高まる。従って、第１外周面上の排出球を第１ベルト本体部５１から落下し易くすることができる。
【０１２１】
また、第１外周面上の排出球が、球排出孔５２を通過することなく第１ベルト本体部５１から落下しない場合でも、この排出球がベルト搬送方向へ移動し続けて金庫１４に回収されてしまうという事態が発生することを抑制できる。
【０１２２】
ところで図９（ｂ）に示すように、排出コインＣ６，Ｃ７，Ｃ８が第１外周面上に積み重ねられた状態で載置されており、更に第１外周面上に載置されている排出球Ｐ６が、排出コインＣ６，Ｃ７，Ｃ８の中で最も下流側に配置されている排出コインＣ８にベルト搬送方向の下流側で接触している場合には、この排出球Ｐ６がベルト搬送方向の上流側から球案内部材６１に接触すると、この排出球Ｐ６は上流側への移動が排出コインＣ６，Ｃ７，Ｃ８により阻止される。従って排出球Ｐ６は、排出コインＣ６，Ｃ７，Ｃ８がベルト搬送方向へ移動することを阻止してしまう虞がある。
【０１２３】
しかしながら、球案内部材６１は、第１外周面から球の直径より高い位置に配置された上方規制部材６４によって、上方規制部材６４が配置された高さまで上方向への移動が可能とされている。
【０１２４】
このため、上流側への移動が排出コインＣ６，Ｃ７，Ｃ８により阻止されることにより排出球Ｐ６が球案内部材６１をベルト搬送方向に押圧すると、この押圧力により球案内部材６１が上方に移動する。これによって排出球Ｐ６は球案内部材６１の直下を通過することができる。つまり、排出球が排出コインにベルト搬送方向の下流側で接触している状態で、球案内部材６１に接触しても、排出コインのベルト搬送方向への移動を阻害することを防止できる。
【０１２５】
また、例えば図９（ｂ）に示すように、球案内部材６１が上方に移動すると、接触検出センサ６３ｂがオンとなり、これにより加振機２７が無端搬送ベルト２１を振動させる。従って、第１外周面上で停止していた排出球が、振動により第１外周面上を移動するようになる。そして、移動する排出球が球排出孔５２に到達すると、この排出球は球排出孔５２を通過して第１ベルト本体部５１から落下する。即ち、第１外周面上の排出球が第１ベルト本体部５１から落下し易くなる。
【０１２６】
また、遊技機島３内の或る台間機１３についての排出コイン数Ｎ２（ｉ）が所定排出コイン数値より大きくなると（Ｓ２５０：ＹＥＳ）、無端搬送ベルト２１が移動する（Ｓ３８０）。即ち、排出コイン数Ｎ２（ｉ）が所定排出コイン数値以下の場合は（Ｓ２５０：ＮＯ）、無端搬送ベルト２１は移動を停止している。このため、無端搬送ベルト２１を常時移動させる場合よりも、無端搬送ベルト２１を移動させるための電力消費を抑制できる。
【０１２７】
また、コイン総数判定値Ｓが第２所定コイン数値より大きくなると（Ｓ３４０：ＹＥＳ）、無端搬送ベルト２１が移動する（Ｓ３８０）。即ち、搬送装置１が排出コインを搬送すべき対象としている全ての台間機１３から排出される硬貨（排出コイン）の総数が第２所定コイン数値以下の場合は（Ｓ３４０：ＮＯ）、無端搬送ベルト２１は移動を停止している。このため、無端搬送ベルト２１を常時移動させる場合よりも、無端搬送ベルト２１を移動させるための電力消費を抑制できる。
【０１２８】
尚、コイン総数判定値Ｓが第２所定コイン数値より大きくなると、第１所定コイン数値に相当する数量の排出コインを無端搬送ベルト２１上に残すように、無端搬送ベルト２１が移動する（Ｓ３５０，Ｓ３８０）。従って、第１所定コイン数値と第２所定コイン数値を調整することにより、無端搬送ベルト２１を移動させた前後で、無端搬送ベルト２１上に残る排出コインの数に大きな差が生じるということを防止できる。即ち、駆動モータ２２ａの駆動負荷を可能な限り均一化することができる。
【０１２９】
また、総排出球数値が所定排出球総数値より大きくなると（Ｓ２１０：ＹＥＳ）、無端搬送ベルト２１が移動する（Ｓ３８０）。即ち、搬送装置１が排出球を搬送すべき対象としている全パチンコ機１１から排出される球（排出球）の総数が所定排出球総数値以下の場合は（Ｓ２１０：ＮＯ）、無端搬送ベルト２１は移動を停止している。このため、無端搬送ベルト２１を常時移動させる場合よりも、無端搬送ベルト２１を移動させるための電力消費を抑制できる。
【０１３０】
以上説明した実施形態において、パチンコ機１１は本発明における遊技機、第１ベルト本体部５１は本発明における第１無端ベルト、第２ベルト本体部５６は本発明における第２無端ベルト、駆動ローラ２２，従動ローラ２３及び駆動モータ２２ａは本発明におけるベルト移動手段、誘導通路２９は本発明における受止球搬送手段、ベルト搬送方向は本発明におけるコイン搬送方向、揚送機１５の下部は本発明における所定球搬送位置である。
【０１３１】
また、球案内部材６１は本発明における誘導手段、加振機２７は本発明における振動手段、フィルタ２６は本発明における球阻止手段である。
また、コイン計数機１３ａは本発明における排出コイン計数手段、球計数機１２ａは本発明における排出球計数手段、Ｓ２５０，２６０及びＳ３８０の処理は本発明における第１コイン搬送禁止手段、Ｓ２８０〜Ｓ３８０の処理は本発明における第２コイン搬送禁止手段、Ｓ２１０，Ｓ２２０及びＳ３８０の処理は本発明における第３コイン搬送禁止手段、所定排出コイン数値は本発明における所定コイン計数値、第２所定コイン総数値は本発明における所定コイン総数値、所定排出球総数値は本発明における所定球総数値である。
【０１３２】
以上、本発明の一実施例について説明したが、本発明は上記実施例に限定されるものではなく、本発明の技術的範囲に属する限り種々の形態を採ることができる。
例えば、上記実施形態においては、パチンコ機１１と台間機１３が遊技機島３に設置された場合における搬送装置を示した。しかし、投入されたコインを排出する装置であれば、台間機１３の代わりに、どのような装置を設置してもよい。例えば、スロット機のように、遊技メダルが投入されることにより遊技客に遊技を提供する装置であってもよい。
【０１３３】
即ち図１１に示すように、パチンコ機（不図示）とスロット機（不図示）が併設されている遊技機島２０３には、遊技機島２０３における長手方向の中央に設置され、球を遊技機島２０３の上部へ揚送する球揚送機２１１と、パチンコ機の上方に設置され、球揚送機２１１により揚送された球を各パチンコ機へ配給する配給樋２１２と、メダルを遊技機島２０３の上部へ揚送するメダル揚送機２１３と、スロット機の上方に設置され、メダル揚送機２１３により揚送されたメダルを各スロット機へ配給する配給ベルトコンベア２１４とが取り付けられている。
【０１３４】
このような遊技機島２０３内において、ベルト搬送方向の最下流部にメダル揚送機２１３が位置し、誘導通路２９の傾斜の最下流部に球揚送機２１１が位置するようにして、パチンコ機とスロット機の下方に搬送装置１を設置するようにしてもよい。
【０１３５】
また上記実施形態において、加振機２７はリレーを備え、接触検出センサ６３ｂがオンになった後、所定振動時間内通電させることにより、振動を継続させるものを示した。しかし、加振機２７が、ＣＰＵを有する制御装置（例えば、マイクロコンピュータ等）を備え、接触検出センサ６３ｂがオンになると所定振動時間振動させるように加振機２７を制御するプログラムを制御装置に実行させるように構成してもよい。
【図面の簡単な説明】
【０１３６】
【図１】搬送装置１の全体構成を示すブロック図。
【図２】無端搬送ベルト２１の平面図及びＡ−Ａ断面部を示す図。
【図３】フィルタ２６の平面図及び側面図。
【図４】加振機２７の構成を示す側面図。
【図５】搬送装置１の電気的構成を表すブロック図。
【図６】排出数リスト更新処理手順を示すフローチャート。
【図７】ベルト移動制御処理手順を示すフローチャート。
【図８】排出コイン及び排出球の無端搬送ベルト２１からの落下を説明する図と、ディンプル５７の効果を説明する図。
【図９】球案内部材６１の効果を説明する図。
【図１０】球・コイン排出数リスト８３ａの構成及び更新方法を説明する図。
【図１１】遊技機島２０３と搬送装置１の構成を示すブロック図。
【図１２】球阻止手段を設けた場合の効果を説明する図。
【符号の説明】
【０１３７】
１…搬送装置、３…遊技機島、１１…パチンコ機、１２…アウトボックス、１２ａ…球計数機、１３…台間機、１３ａ…コイン計数機、１４…金庫、１５…揚送機、１６…配給樋、２１…無端搬送ベルト、２２…駆動ローラ、２２ａ…駆動モータ、２３…従動ローラ、２４…往路部ガイドローラ、２５…復路部ガイドローラ、２６…フィルタ、２７…加振機、２８…球受止部、２８ａ…通過孔、２９…誘導通路、４０…制御装置、４１…制御部、４２…モータ駆動回路、４３…通信部、５１…第１ベルト本体部、５２…球排出孔、５２ａ…貫通孔、５２ｂ…第１傾斜部、５２ｃ…第２傾斜部、５３…遮蔽凸部、５４…補強ワイヤ、５５…ベルト連結部、５６…第２ベルト本体部、５７…ディンプル、５８…補強ワイヤ、６１…球案内部材、６２…支持部、６３…下方規制部材、６３ａ…本体部、６３ｂ…接触検出センサ、６４…上方規制部材、６５…付勢バネ、７１…加振本体部、７２…振動伝達部、７３…導線、８１…ＣＰＵ、８２…ＲＯＭ、８３…ＲＡＭ、８３ａ…球・コイン排出数リスト、８４…入出力部、８５…バス、２０３…遊技機島、２１１…球揚送機、２１２…配給樋、２１３…メダル揚送機、２１４…配給ベルトコンベア。
【図１】
0004692162.tif 000002
【図２】
0004692162.tif 000003
【図３】
0004692162.tif 000004
【図４】
0004692162.tif 000005
【図５】
0004692162.tif 000006
【図６】
0004692162.tif 000007
【図７】
0004692162.tif 000008
【図８】
0004692162.tif 000009
【図９】
0004692162.tif 000010
【図１０】
0004692162.tif 000011
【図１１】
0004692162.tif 000012
【図１２】
0004692162.tif 000013